(57)【要約】【課題】  第１の負荷及び第２の負荷の双方への電圧を供給する第１の電力モード、又は第１の負荷へ供給する一方で第２の負荷へは供給しない第２の電力モードのいずれかの電力モードで動作する電圧供給装置において、第２の電力モードで電圧を供給すべきと予め設定された期間においては、第２の電力モードで確実に動作させる【解決手段】  画像形成装置２２０は、メインスイッチ４１０によりスイッチオフ状態がスイッチオン状態に切替えられた場合において、現在時刻が強制ディープスリープモード期間に含まれる場合はディープスリープモードで動作するよう電源ＯＮ／ＯＦＦ部４１を制御する。【選択図】  図６
2011133515.tif 000002
【特許請求の範囲】
【請求項１】
商用電源から供給される交流電圧に基づいて供給電圧を生成する電圧生成手段と、
前記商用電源からの前記交流電圧が前記電圧生成手段に供給される供給状態と、前記商用電源からの前記交流電圧が前記電圧生成手段に供給されない非供給状態とを切替える切替手段と、
前記電圧生成手段により生成された供給電圧を第１の負荷及び第２の負荷の双方への供給する第１の電力モード、又は前記電圧生成手段により生成された供給電圧を前記第１の負荷へ供給する一方で前記第２の負荷へは供給しない第２の電力モードのいずれかの電力モードで前記供給電圧を供給するよう制御する電圧供給手段と、
前記商用電源とは異なる補助電源から供給される電圧に基づいて計時をする計時手段と、
前記電圧供給手段が前記第２の電力モードで前記供給電圧を供給すべき期間を設定する設定手段と、
前記切替手段により前記非供給状態が前記供給状態に切替えられた場合において、前記計時手段により計時される時間が前記設定手段により設定される期間に含まれない場合は前記第１の電力モードで前記供給電圧を供給するよう前記電圧供給手段を制御し、前記計時手段により計時される時間が前記設定手段により設定される期間に含まれる場合は前記第２の電力モードで前記供給電圧を供給するよう前記電圧供給手段を制御する制御手段と、
を有することを特徴とする電圧供給装置。
【請求項２】
画像データを記憶する記憶手段と、
前記記憶手段に記憶された画像データに基づいて印刷処理を実行する印刷手段を有し、
前記第２の負荷は、前記印刷手段を含むことを特徴とする請求項１に記載の電圧供給装置。
【請求項３】
画像データを入力する入力手段を有し、
前記記憶手段は、前記入力手段により入力された画像データを記憶し、
前記第２の負荷は、前記入力手段を含むことを特徴とする請求項２に記載の電圧供給装置。
【請求項４】
外部装置から送信されるデータを受信する受信手段を有し、
前記第１の負荷は、前記受信手段を含むことを特徴とする請求項１乃至３のいずれか１項に記載の電圧供給装置。
【発明の詳細な説明】
【技術分野】
【０００１】
本発明は、電圧供給装置に関する。
【背景技術】
【０００２】
従来から、プリント処理やコピー処理等を実行する画像形成装置の消費電力量を抑制するために、画像形成装置を、画像形成装置が備える一部の負荷（プリンタエンジン等）への電力供給を遮断するスリープモードで動作させる技術が知られている。
【０００３】
また、予めスリープ移行時間を設定し、画像形成装置がプリント処理やコピー処理等の処理を何ら実行しない期間がスリープ移行時間を経過した場合にスリープモードへ移行させる方法が知られている。
【０００４】
例えば、特許文献１には、プリンタ機能、スキャナ機能を備える画像形成装置において、スリープ移行時間を、機能毎に独立した時間として設定する技術が開示されている。
【０００５】
しかしながら、特許文献１等の従来技術においては、スリープモードへ移行した画像形成装置に対して復帰要因（印刷ジョブの受信等）が入力された場合には、スリープモードが解除されてしまう。従って、ある特定の期間はスリープモードを解除させたくないという要求を満たすことが出来ないという問題点があった。例えば、月曜日から金曜日の昼休み（例えば、１２時から１３時）には、画像形成装置をスリープモードに移行させたままにしておきたいという要求を満たすことができなかった。
【０００６】
それに対して、特許文献２には、周辺装置がスリープモードへ移行した後に代理応答サーバが周辺装置に対する要求に応答することが開示されている。特許文献２によれば、周辺装置は、外部装置から要求があった場合であってもスリープモードを維持することができる。
【先行技術文献】
【特許文献】
【０００７】
【特許文献１】特開２００５−１０７２８７号公報
【特許文献２】特開２００４−３３４７９３公報
【発明の概要】
【発明が解決しようとする課題】
【０００８】
しかしながら、特定の期間（例えば、月曜日から金曜日の１２時から１３時）はスリープモードを解除させたくないという要求があるが、従来技術ではこのような要求に十分には対処できなかった。
【０００９】
そこで、上記の点に鑑みたものであり、本発明は、第１の負荷及び第２の負荷の双方への電圧を供給する第１の電力モード、又は第１の負荷へ供給する一方で第２の負荷へは供給しない第２の電力モードのいずれかの電力モードで動作する電圧供給装置において、第２の電力モードで電圧を供給すべきと予め設定された期間においては、第２の電力モードで確実に動作させることを目的とする。
【課題を解決するための手段】
【００１０】
上記課題を解決するため、本発明に係る電圧供給装置は、商用電源から供給される交流電圧に基づいて供給電圧を生成する電圧生成手段と、前記商用電源からの前記交流電圧が前記電圧生成手段に供給される供給状態と、前記商用電源からの前記交流電圧が前記電圧生成手段に供給されない非供給状態とを切替える切替手段と、前記電圧生成手段により生成された供給電圧を第１の負荷及び第２の負荷の双方への供給する第１の電力モード、又は前記電圧生成手段により生成された供給電圧を前記第１の負荷へ供給する一方で前記第２の負荷へは供給しない第２の電力モードのいずれかの電力モードで前記供給電圧を供給するよう制御する電圧供給手段と、前記商用電源とは異なる補助電源から供給される電圧に基づいて計時をする計時手段と、
前記電圧供給手段が前記第２の電力モードで前記供給電圧を供給すべき期間を設定する設定手段と、前記切替手段により前記非供給状態が前記供給状態に切替えられた場合において、前記計時手段により計時される時間が前記設定手段により設定される期間に含まれない場合は前記第１の電力モードで前記供給電圧を供給するよう前記電圧供給手段を制御し、前記計時手段により計時される時間が前記設定手段により設定される期間に含まれる場合は前記第２の電力モードで前記供給電圧を供給するよう前記電圧供給手段を制御する制御手段とを有することを特徴とする。
【発明の効果】
【００１１】
本発明によれば、第１の負荷及び第２の負荷の双方への電圧を供給する第１の電力モード、又は第１の負荷へ供給する一方で第２の負荷へは供給しない第２の電力モードのいずれかの電力モードで動作する電圧供給装置において、第２の電力モードで電圧を供給すべきと予め設定された期間においては、第２の電力モードで確実に動作させることができる。
【図面の簡単な説明】
【００１２】
【図１】データ処理装置を備える印刷システムの構成を示すブロック図である。
【図２】画像形成装置２２０の構成を概略的に示す図である。
【図３】画像形成装置２２０の制御構成を示すブロック図である。
【図４】画像処理装置２２０の３つの電力モード（通常電力モード、通常スリープモード、ディープスリープモード）と、電源オフにおける電源状態の遷移を示す遷移図である。
【図５】操作部１４０に表示されるスリープ設定画面を示す図である。
【図６】ＣＰＵ３０１が実行する処理を示すフローチャートである。
【図７】ＣＰＵ３０１が実行する処理を示すフローチャートである。
【図８】ＣＰＵ３０１が実行する処理を示すフローチャートである。
【発明を実施するための形態】
【００１３】
以下に、本発明を実施するための形態について、図面を参照しながら詳しく説明する。なお、同一の構成要素には同一の参照番号を付して、説明を省略する。また、初めに本実施例に必要となる構成ブロックについて説明し、次に、処理の詳細について説明する。
【００１４】
［第１の実施形態］
図１は、本発明の第１実施形態に係るデータ処理装置を備える印刷システムの構成を示すブロック図である。
【００１５】
図１において、印刷システム１００は、用紙に画像を形成する画像形成装置２２０、２３０と、コンピュータ端末としてのパーソナルコンピュータ（ＰＣ）２１２、２１３とを備える。また、これらはＬＡＮ（ローカルエリアネットワーク）５０１を介して通信可能に接続されている。
【００１６】
画像形成装置２２０、２３０（データ処理装置）は夫々同様の構成であり、ＰＣ２１２、２１３も夫々同様の構成であるので、以下、画像形成装置２２０及びＰＣ２１２について説明する。
【００１７】
画像形成装置２２０は、画像形成装置２２０のユーザが各種の操作を行うための操作部１４０と、操作部１４０からの指示に従って画像情報を読み取るスキャナ部１０と、画像データを用紙に印刷するプリンタ部２０とを有する。更に、画像形成装置２２０は、操作部１４０及びＰＣ２１２からの指示に基づいてスキャナ部１０及びプリンタ部２０を制御するコントローラユニット３０を備える。
【００１８】
ＰＣ２１２は、ＬＡＮ５０１を介して１ページ或いは複数ページの画像データを含む印刷ジョブを画像形成装置２２０に送信する。また、ＰＣ２１２は、印刷ジョブ以外にも各種のコマンドをＬＡＮ５０１を介して画像形成装置２２０に送信する。
【００１９】
画像形成装置２２０は、ＰＣ２１２からＬＡＮ５０１を介して印刷ジョブを受信すると共に印刷ジョブに含まれる画像データに基づいて、用紙に対する印刷処理を実行する。
【００２０】
図２は、図１の画像形成装置２２０の構成を概略的に示す図である。
【００２１】
図２の画像形成装置２２０は、スキャナ部１０、プリンタ部２０、コントローラユニット３０を含む。また、ＡＣ電源（商用電源）から入力される交流電圧に基づいて画像形成装置２２０の各部へ供給するＤＣ電圧（供給電圧）を生成する電源装置４０（電圧生成手段）、及びユーザによる操作を入力するインタフェースである操作部１４０を含む。
【００２２】
スキャナ部１０は、原稿を載置する原稿台ガラス１０１と、原稿台ガラス１０１の所定位置に順次原稿を送る原稿自動送り装置１４６を備える。また、スキャナ部１０は、原稿照明ランプ１０２、走査ミラー１０３を含み、原稿台ガラス１０１の下方に設置された走査ユニット１４７を備える。また、スキャナ部１０は、走査ミラー１０３の反射光をＣＣＤユニット１０６に向けて反射する走査ミラー１０４、１０５を含む走査ユニット１４８を備える。また、スキャナ部１０は、走査ミラー１０５の反射光を受光して結像する結像レンズ１０７、結像された像をデジタル画像信号に変換する撮像素子１０８、及び撮像素子１０８を駆動するＣＣＤドライバ１０９を含むＣＣＤユニット１０６とを備える。
【００２３】
コントローラユニット３０は、操作部１４０からの指示が入力され、撮像素子１０８から出力された画像信号に基づいて画像データを生成することや、装置全体の制御を行う。詳細には、図３を用いて後述する。
【００２４】
プリンタ部２０は、感光ドラム１１０と、コントローラユニット３０で生成された画像データに基づいて感光ドラム１１０を露光して静電潜像を形成する露光部１１７を備える。また、プリンタ部２０は、黒色の現像剤であるトナーを収容すると共に、感光ドラム１１０上の静電潜像をトナーで現像する現像器１１８を備える。また、プリンタ部２０は、感光ドラム１１０上の現像されたトナー像に転写前に高電圧をかける転写前帯電器１１９を備える。
【００２５】
プリンタ部２０は、また、手差し給紙ユニット１２０と、用紙を格納する給紙ユニット１２２、１２４、１４２、１４４とを備える。また、手差し給紙ユニット１２０上の用紙や給送ユニット内に格納された用紙を夫々給送する給送ローラ１２１、１２３、１２５、１４３、１４５を備える。また、プリンタ部２０は、給送ローラ１２１、１２３、１２５、１４３、１４５から給送された用紙を感光ドラム１１０に給紙するレジストローラ１２６とを備える。給送ローラ１２１、１２３、１２５、１４３、１４５は、手差しトレイ１２０上の用紙や給送ユニット内に格納された用紙をレジストローラ１２６の位置で一旦停止させる。そして、用紙は、感光ドラム１１０上の現像されたトナー像を転写するために給送される。
【００２６】
プリンタ部２０は、さらに、感光ドラム１１０上の現像されたトナー像を給送される用紙に転写する転写帯電器１２７と、感光ドラム１１０からトナー像が転写された用紙を感光ドラム１１０から分離する分離帯電器１２８を有する。また、プリンタ部２０は、分離した用紙を後述する定着器１３０に搬送する搬送ベルト１２９と、転写されずに感光ドラム１１０に残ったトナーを回収するクリーナー１１とを備える。また、感光ドラムを徐電する前露光ランプ１１２と、感光ドラム１１０を一様に帯電する１次帯電体１１３を備える。
【００２７】
プリンタ部２０は、トナー像の転写がなされた用紙にトナー像を定着させる定着器１３０と、トナー像が定着された用紙をフラッパ１３１を介して受容するソーター１３２とを備える。また、プリンタ部２０は、トナー像が定着された用紙をフラッパ１３１及び給送ローラ１３３〜１３６を介して受容する中間トレイ１３７を備える。また、中間トレイ１３７内の用紙を再度感光ドラム１１０に給送する再給紙ローラ１３８とを備える。フラッパ１３１は、トナー像の定着がなされた用紙の給送先をソーター１３２と中間トレイ１３７の間で切換えるように構成され、ローラ１３３〜１３６は、トナー像の定着がなされた用紙を非反転（多重）又は反転（両面）するように構成されている。
【００２８】
図３は、画像形成装置２２０の制御構成を示すブロック図である。
【００２９】
図３において、コントローラユニット３０は、スキャナ部１０、プリンタ部２０、ＬＡＮ５０１、及び公衆回線に接続され、画像データやデバイス情報の入出力を行うためのコントローラである。
【００３０】
コントローラユニット３０は、ＰＣ２１２等から受信した印刷ジョブに含まれるＰＤＬコードをビットマップイメージに展開するラスタイメージプロセッサ（ＲＩＰ）３６０を有する。また、コントローラユニット３０は、スキャナ部１０から入力された画像データに対し補正、加工、編集を行うスキャナ画像処理部３８０を有する。また、コントローラユニット３０は、プリンタ部２０で印刷される画像データに対して補正、解像度変換等を行うプリンタ画像処理部３９０と、画像データの回転を行う画像回転部３３０とを有する。また、コントローラユニット３０は、画像データの圧縮伸張処理を行う画像圧縮部３４０とを有する。また、コントローラユニット３０は、スキャナ部１０及びプリンタ部２０とコントローラユニット３０を接続するデバイスＩ／Ｆ３２０を有する。更に、これらを互いに接続して画像データを高速で転送する画像バス３０８とを備える。
【００３１】
コントローラユニット３０は、また、画像形成装置２２０を制御する制御部（制御手段）であるＣＰＵ３０１と、ＣＰＵ３０１が動作するためのシステムワークメモリであり、画像データを一時記憶するための画像メモリでもあるＲＡＭ３０２とを有する。また、コントローラユニット３０は、操作部１４０から本システム使用者が入力した情報をＣＰＵ３０１に伝える役割をする操作部Ｉ／Ｆ３０７を有する。また、コントローラユニット３０は、ＬＡＮ５０１に接続され、ＰＣ２１２、ＰＣ２１３との通信（送受信）を行うネットワーク部３１０（パケット処理手段）を有する。また、公衆回線に接続され、外部のファクシミリ装置とのデータの通信（送受信）を行うモデム部３５０を有する。ネットワーク部３１０は、ＰＣ２１２、ＰＣ２１３からデータを受信するとともに、受信したデータを処理するものである。また、コントローラユニット３０は、ＣＰＵ３０１が実行するブートプログラムが格納されているＲＯＭ３０３と、システムソフトウェア、画像データ、ソフトウェアカウンタ値などを格納するハードディスクドライブ（ＨＤＤ）３０４を備える。また、スキャナ部１０及びプリンタ部２０のＣＰＵと夫々通信を行うスキャナ・プリンタ通信Ｉ／Ｆ３０６と、これらを互いに接続するシステムバス３０７とを備える。
【００３２】
コントローラユニット３０は、システムバス３０７及び画像バス３０８を接続しデータ構造を変換するバスブリッジであるイメージバスＩ／Ｆ３０５とを備える。さらに、電源装置４０から電力供給ライン４２を介して受容したＤＣ電源を電力供給ライン４３、４４を介してコントローラ３０の所定の回路要素に供給する電源ＯＮ／ＯＦＦ部４１（電圧供給手段）を備える。電源ＯＮ／ＯＦＦ部４１は、ネットワーク部３１０から制御信号線４５を介して受信した制御信号及びＣＰＵ３０１から制御信号線４６を介して受信した制御信号に基づいて制御される。電源ＯＮ／ＯＦＦ部４１は、電源装置４０から電力供給ライン４３、４４に供給される電力を選択的にＯＮ／ＯＦＦする。電力供給ライン４３は、第２の負荷である、ＣＰＵ３０１、ＲＯＭ３０３、ＨＤＤ３０４、イメージバスＩ／Ｆ３０５、スキャナ・プリンタ通信Ｉ／Ｆ３０６に接続される。また、電力供給ライン４３は、デバイスＩ／Ｆ３２０、計時手段としてのタイマー３３０、メモリ３４０、ＲＩＰ３６０、スキャナ画像処理部３８０及びプリンタ画像処理部３９０に接続される。電力供給ライン４４は、第１の負荷である、ＲＡＭ３０２、操作部Ｉ／Ｆ３０７、ネットワーク部３１０及びモデム部３５０に接続されている。
【００３３】
なお、４１０はメインスイッチであり、メインスイッチがオン状態の場合は、ＡＣ電源（商用電源）からの交流電圧が電源装置４０に供給される供給状態となる。また、メインスイッチがオフ状態の場合は、ＡＣ電源（商用電源）からの交流電圧が電源装置４０に供給されない非供給状態となる。メインスイッチ４１０は、スイッチオン状態とスイッチオフ状態とにより、供給状態と非供給状態を切替える切替手段として機能する。
【００３４】
また、画像形成装置２２０は、電源装置４０から電力供給ライン４２０を介して受容したＤＣ電源を、電力供給ライン４４０を介してスキャナ部１０及びプリンタ部２０へ供給する電源ＯＮ／ＯＦＦ部４３０を備える。電源ＯＮ／ＯＦＦ部４３０は、ＣＰＵ３０１から図示しない信号線を介して入力される制御信号に基づいて、電源装置４０から電力供給ライン４２０に供給される電力を選択的にＯＮ／ＯＦＦする。なお、電源装置４０は、ＡＣ電源から入力される交流電圧から複数レベルの電圧を生成し、高い電圧レベルの電圧（例えば、２４Ｖ）を電力供給ライン４２０へ供給し、低い電圧レベルの電圧（例えば、３Ｖ）を電力供給ライン４２へ供給する。
【００３５】
図１における画像形成装置２２０は、ＬＡＮ５０１に接続されたＰＣ２１２から送信された印刷ジョブに基づいて以下のように印刷処理を実行する。ＣＰＵ３０１は、ＬＡＮ５０１に接続されたＰＣ２１２からネットワーク部３１０を介して受信した画像データである印刷データをＲＡＭ３０２に記憶させる。そして、この画像データを、イメージバスＩ／Ｆ３０５を介してＲＩＰ３６０に供給し、ＲＩＰ３６０は、この画像データ（ＰＤＬコード）をビットマップデータに展開してＨＤＤ３０４に蓄積する。
【００３６】
タイマー３３０は、時刻を計時する計時機能を備えるものであり、任意の時刻を基準とした経過時間を計測することができる。タイマー３３０は、ＣＰＵ３０１から時刻の通知要求を受信した場合、現在時刻をＣＰＵ３０１へ通知する。また、ＣＰＵ３０１から所定の時間経過を通知するよう要求された場合は、要求からの経過時間がＣＰＵ３０１により通知された所定の経過時間に達した場合にＣＰＵ３０１へ通知する。なお、タイマー３３０は、メインスイッチ４１０がスイッチオフ状態となって電源装置４０から電圧が供給されない場合には、電池により構成される補助電源４００からの電力供給により計時を行う。
【００３７】
従って、タイマー３３０は、メインスイッチ４１０がスイッチオフ状態となった場合でも時刻を計時することが可能である。
【００３８】
メモリ３４０は、フラッシュＲＯＭ等の書換え可能な不揮発性の記憶媒体であり、ＣＰＵにより設定された画像形成装置２２０の動作を制御するための各種の設定情報が記憶される。なお、メモリ３４０は、不揮発性の記憶媒体であるので、メインスイッチ４１０がオフ状態となっている場合であっても、メモリ３４０に記憶された情報は保持される。
【００３９】
画像形成装置２２０は、通常電力モード（第１の電力モード）又は通常電力モードよりも消費電力の少ない省電力モードにて動作することが可能である。省電力モードには、更に２つのモードがあり、１つは通常スリープモード（第１の電力モード）であり、もう１つはディープスリープモード（第２の電力モード）である。
【００４０】
通常モードでは、電源装置４０は、電力供給ライン４２を介して電源ＯＮ／ＯＦＦ部４１に電力供給し、ＣＰＵ３０１は、電力供給ライン４３及び電力供給ライン４４に電力が供給されるように電源ＯＮ／ＯＦＦ部４１を制御する。このとき、ＣＰＵ３０１とネットワーク部３１０の双方に電源装置４０から電力が供給される。また、通常モードでは、電源装置４０は、電力供給ライン４２０を介して電源ＯＮ／ＯＦＦ部４３０に電力供給し、ＣＰＵ３０１は、電力供給ライン４４０に電力が供給されるように電源ＯＮ／ＯＦＦ部４３０を制御する。
【００４１】
通常スリープモードでは、電源装置４０は、電力供給ライン４２を介して電源ＯＮ／ＯＦＦ部４１に電力供給し、ＣＰＵ３０１は、電力供給ライン４３及び電力供給ライン４４に電力が供給されるように電源ＯＮ／ＯＦＦ部４１を制御する。このとき、ＣＰＵ３０１とネットワーク部３１０の双方に電源装置４０から電力が供給される。また、通常スリープモードで、ＣＰＵ３０１は、電力供給ライン４４０に電力が供給されないように電源ＯＮ／ＯＦＦ部４３０を制御する。
【００４２】
ディープスリープモードでは、ＣＰＵ３０１は、電力供給ライン４３に電力が供給されず、電力供給ライン４４に電力が供給されるように電源ＯＮ／ＯＦＦ部４１を制御する。また、ディープスリープモードで、ＣＰＵ３０１は、電力供給ライン４４０に電力が供給されないように電源ＯＮ／ＯＦＦ部４３０を制御する。
【００４３】
このとき、コントローラユニット３０のＣＰＵ３０１を含む主要回路要素に対する電力供給は遮断されるので、画像形成装置２２０の消費電力は大幅に低減できる。さらに、ネットワーク部３１０がＰＣ２１２等から印刷ジョブ等のデータを受信したとき、ネットワーク部３１０は、通常モードへ復帰すべく、電源ＯＮ／ＯＦＦ部４１を制御することができる。なお、ディープスリープモードでは、ＣＰＵ３０１に対する電力供給は遮断されるものとしたが、他の態様であっても良い。例えば、ＣＰＵ３０１に対する電力供給を通常スリープモードより低減させるようにしてもよい。この場合、ＣＰＵ３０１はディープスリープモードにおいては、通常スリープモードの場合にくらべて実行できる処理が制限されるものとする。制限される処理には、少なくともネットワーク部３１０がＰＣ２１２等から受信したパケットに応じた応答処理が少なくとも含まれる。
【００４４】
また、ディープスリープモードのとき、ＲＡＭ３０２には、電源装置４０から電力が供給されているので、ＲＡＭ３０２はセルフリフレッシュ動作を行って、システムプログラムをバックアップしている。
【００４５】
また、上記の説明では、ネットワーク部３１０によって、電力供給モードをディープスリープモードから通常モードへ切換えることとしたが、他の態様であっても良い。具体的には、ネットワーク部３１０に限らず、モデム部３５０又は操作部Ｉ／Ｆ３０７によってディープスリープモードから通常モードへの切換えがなされてもよい。
【００４６】
画像形成装置２２０は、ディープスリープモードから通常スリープモードへの復帰を以下のように行う。
【００４７】
まず、ネットワーク部３１０が、例えばＰＣ２１２からパケットを受信すると、受信されたパケット中に、自装置に固有の物理的アドレスに対応するデータシーケンスが含まれているか否かを解析する。ネットワーク部３１０は、自装置に対応するデータシーケンスを検出すると、電力供給ライン４３に電力が供給されるよう制御信号線４５を介して電源ＯＮ／ＯＦＦ部４１を制御して、電力供給ライン４３を介して電力がＣＰＵ３０１等へ供給されるようにする。ＣＰＵ３０１は、電力供給ライン４３を介して電力供給が開始されることにより起動をする。このとき、ＣＰＵ３０１は、ＣＰＵ３０１が起動した要因が、ディープスリープモードから通常モードへの復帰によるものか否かを電源ＯＮ／ＯＦＦ部４１に問い合わせることにより判断する。そして、ＣＰＵ３０１は、ディープスリープモードから通常スリープモードへの復帰によるものと判断したときは、起動シーケンスを開始する。このとき、ＣＰＵ３０１は、システムプログラムをＨＤＤ３０４からＲＡＭ３０２にダウンロードするシーケンスは省き、ディープスリープモード移行時にＲＡＭ３０２にバックアップされたシステムプログラムを実行する。
【００４８】
なお、ＣＰＵ３０１が起動した要因が、印刷ジョブをネットワーク部３１０が受信したという要因である場合、ＣＰＵ３０１は、通常スリープモードから通常電力モードへ動作モードを移行させる。具体的には、ＣＰＵ３０１は、電源ＯＮ／ＯＦＦ部４３０を介して電力供給ライン４０へ電圧が供給されるように制御する。これにより、スキャナ部１０及びプリンタ部２０への電力供給が行われる。
【００４９】
また、以上の説明では、ディープスリープモードから通常スリープモードへの復帰の要因が、ネットワーク部がパケットを受信した場合として説明したが、他の復帰要因もある。具体的には、操作部Ｉ／Ｆ３０７が操作部１４０からデータを受信した場合と、モデム部３５０が外部のファクシミリ装置からデータを受信した場合も復帰要因となる。
【００５０】
図４は、画像形成装置２２０の３つの電力モード（通常電力モード、通常スリープモード、ディープスリープモード）と、電源オフにおける電源状態の遷移を示す遷移図である。
【００５１】
電源状態０〜３は、画像形成装置２２０が消費する消費電力量を示すものであり、電源状態０が消費電力量が０であり、電源状態１、２、３となるに従って消費電力量が増加する。
【００５２】
図３のメインスイッチ４１０がスイッチオフ状態からスイッチオン状態へ切替えられた場合、電源ＯＮ／ＯＦＦ部４１は電力供給ライン４３及び電力供給ライン４４に電力が供給されるように制御する。なお、この場合、ＣＰＵ３０１は、電力供給ライン４４０に電力が供給されないように電源ＯＮ／ＯＦＦ部４３０を制御する。つまり、メインスイッチ４１０がスイッチオフ状態からスイッチオン状態へ切替えられた場合、画像形成装置２２０は、前述した通常スリープモードＳ４１で動作する。なお、ＣＰＵ３０１は、メインスイッチ４１０がスイッチオフ状態からスイッチオン状態へ切替えられた場合、ＲＯＭ３０３に格納されたブートプログラムをＲＡＭ３０２に展開して実行する。これにより、画像形成装置２２０の各部を初期化して起動状態に移行させる。そして、ＣＰＵ３０１は、ブートプログラムの実行が終了した場合に、電源ＯＮ／ＯＦＦ部４３０に制御信号を送信して電力供給ライン４４０を介してスキャナ部１０及びプリンタ部２０への電力供給が開始されるように制御する。これにより、画像形成装置２２０は、通常電力モードＳ４２へ移行する。
【００５３】
通常電力モードＳ４２においてＣＰＵ３０１は、例えば、操作部１４０を介してコピー指示が受け付けられた場合には、スキャナ部１０により原稿台ガラス１０１上の原稿を読み取って画像データを生成する。また、ＣＰＵ３０１は、生成された画像データに基づいてプリンタ部２０による印刷処理を実行するよう制御する。
【００５４】
また、通常電力モードＳ４２で画像形成装置２２０が動作する際にメインスイッチがスイッチオン状態からスイッチオフ状態へ切替えられた場合、ＡＣ電源から電源装置４０からへの交流電圧の供給がなくなる。それに伴って電源装置４０から画像形成装置２２０の各部への電力供給が遮断される。これにより、画像形成装置２２０の電源状態は電源オフ状態Ｓ４０となる。
【００５５】
なお、通常電力モードＳ４２で画像形成装置２２０が動作する際に操作部Ｉ／Ｆ３０７、ネットワーク部３１０、モデム部３５０に対して一定期間（例えば、１５分の第１のスリープ移行期間）に渡ってデータの入力が行われない場合がある。この場合、ＣＰＵ３０１は、電源ＯＮ／ＯＦＦ部４３０から電源供給ライン４４０へ電力が供給されないように制御する。これにより、画像形成装置２２０の電源状態は通常スリープモードＳ４１となる。
【００５６】
なお、１５分の第１のスリープ移行時間は、画像形成装置２２０が通常電力モードで動作する際に操作部１４０を介して画像形成装置２２０のユーザが入力可能である。また、操作部１４０を介して入力された第１のスリープ移行時間は、メモリ３４０に記憶される。
【００５７】
また、通常スリープモードＳ４１で画像形成装置２２０が動作する際に操作部Ｉ／Ｆ３０７、ネットワーク部３１０、モデム部３５０に対して一定期間（例えば、１０分の第２のスリープ移行期間）に渡ってデータの入力が行われない場合がある。この場合、ＣＰＵ３０１は、電源ＯＮ／ＯＦＦ部４１から電源供給ライン４３へ電力が供給されないように制御する。これにより、画像形成装置２２０の電源状態はディープスリープモード（解除可能）Ｓ４４となる。なお、１０分の第２のスリープ移行時間は、画像形成装置２２０が通常電力モードで動作する際に操作部１４０を介して画像形成装置２２０のユーザが入力可能である。また、操作部１４０を介して入力された第２のスリープ移行時間は、メモリ３４０に記憶される。
【００５８】
なお、画像形成装置２２０は、メインスイッチ４１０がスイッチオン状態からスイッチオフ状態へ切替えられた場合には、ＡＣ電源から電源装置４０からへの交流電圧の供給がなくなる。それに伴って電源装置４０から画像形成装置２２０の各部への電力供給が遮断される。これは、ディープスリープモードＳ４３、Ｓ４４、通常スリープモードＳ４１及び通常電力モードＳ４２のいずれで動作する場合でも、画像形成装置２２０の各部への電力供給が遮断されることとなる。
【００５９】
次に、スリープ設定について図５を用いて説明する。
図５は、操作部１４０に表示されるスリープ設定画面を示す図である。
図５において、５０は、通常電力モードから通常スリープモードへ移行させるために要する移行時間を入力するための表示枠である。図５に示すように１５等の数値が操作部１４０を介した操作者の指示により入力され、入力された値がメモリ３４０に記憶される。なお、表示枠５０に入力される時間は、前述の第１のスリープ移行時間に相当する時間である。
【００６０】
また、図５において、５１は、通常スリープモードＳ４１からディープスリープモードＳ４３へ移行させるために要する移行時間を入力するための表示枠である。図５に示すように１０等の数値が操作部１４０を介した操作者の指示により入力され、入力された値がメモリ３４０に記憶される。なお、表示枠５１に入力される時間は、前述の第２のスリープ移行時間に相当する時間である。
【００６１】
また、図５において、５２は、通常電力モードＳ４２又は通常スリープモードＳ４１で動作中の画像形成装置２２０を、強制的にディープスリープモードＳ４３へ移行させるための時刻を設定するための表示枠である。図５に示すように１２等の数値が操作部１４０を介した操作者の指示により入力され、入力された値がメモリ３４０に記憶（設定）される。
【００６２】
また、図５において、５３は、強制的にディープスリープモードＳ４３へ移行した画像形成装置２２０を、復帰要因が入力された場合に通常スリープモードＳ４１に移行させることを許可する時刻を設定するための表示枠である。図５に示すように１３等の数値が操作部１４０を介した操作者の指示により入力され、入力された値がメモリ３４０に記憶（設定）される。
【００６３】
表示枠５２に入力された時刻から表示枠５３に入力された時刻までの期間は、画像形成装置２２０の電源ＯＮ／ＯＦＦ部４１が電力供給ライン４４を介して電力を供給するが、電力供給ライン４３及び４４０を介して電力を供給しない期間を示すものである。この期間を、以下では強制ディープスリープモード期間という。ＣＰＵ１０３は、この期間においては、電源供給ライン４４及び電源供給ライン４４０を介した電力供給は行われないよう電源ＯＮ／ＯＦＦ部４１及び電源ＯＮ／ＯＦＦ部４３０を制御する。
【００６４】
なお、図５では、表示枠５２及び５３には、１時間単位での時刻を入力するものとしたが、分単位の時間を入力するようにしても、時刻に加えて更に曜日を入力するようにしても良い。
【００６５】
画像形成装置２２０のＣＰＵ３０１は、タイマー３３０が計時する時刻がメモリ３４０に記憶された情報が示す強制ディープスリープモード期間に含まれるかを判定する。そして、含まれると判定される場合には、画像処理装置２２０をディープスリープモードＳ４４で動作させるように電源ＯＮ／ＯＦＦ部４１及び電源ＯＮ／ＯＦＦ部４３０を制御する。
【００６６】
一方で、画像形成装置２２０のＣＰＵ３０１は、タイマー３３０が計時する時刻が強制ディープスリープモード期間に含まれない場合には、画像処理装置２２０を通常電力モード又は通常スリープモードで動作させる。
【００６７】
つまり、強制ディープスリープモード期間でない期間においては、ネットワーク部３１０、モデム部３５０又は操作部Ｉ／Ｆ３０７によってデータの入力が検出された場合に、ディープスリープモードＳ４３から通常スリープモードＳ４１へ移行する。
【００６８】
一方、強制ディープスリープモード期間では、ネットワーク部３１０、モデム部３５０又は操作部Ｉ／Ｆ３０７によってデータの入力が検出された場合であっても、ディープスリープモードＳ４３から通常スリープモードＳ４１へ移行しない。つまり、ディープスリープモードで動作中の画像形成装置２２０は、強制ディープスリープモード期間においては、ネットワーク部３１０、モデム部３５０又は操作部Ｉ／Ｆ３０７によってデータの入力が検出されてもディープスリープモードＳ４４を維持する。このようにすることで、画像形成装置２２０は、強制ディープスリープモード期間において、確実にディープスリープモードＳ４３を維持したままとすることができる。
【００６９】
次に、図６〜図８のフローチャートを用いて電力モードの移行処理を説明する。
図６は、メインスイッチ４１０がスイッチオフ状態からスイッチオン状態へ切替えられた場合に画像形成装置２２０のＣＰＵ３０１が実行する処理を示すフローチャートである。
画像形成装置２２０のメインスイッチ４１０がスイッチオフ状態からスイッチオン状態へ切替えられた場合、ＡＣ電源から電源装置４０への電力供給が開始される。それに伴って電源装置４０により生成される電圧が電力供給ライン４２を介して電源ＯＮ／ＯＦＦ部４１へ供給される。
【００７０】
電源ＯＮ／ＯＦＦ部４１は、電源供給ライン４３及び４４を介して画像形成装置２２０の各部への電力供給を行うことにより、ＣＰＵ３０１が動作を開始する。
ＣＰＵ３０１は、タイマー３３０により計時される現在時刻を確認し（Ｓ６０１）、メモリ３４０に記憶された強制ディープスリープモード期間（例えば、１２時から１３時）を確認する（Ｓ６０２）。
【００７１】
そして、ステップＳ６０３で、ＣＰＵ３０１は、現在時刻が強制ディープスリープモード期間に含まれるか否かを判断する。そして、含まれると判断した場合は画形成装置２２０をディープスリープモードＳ４３へ移行させるように、電源ＯＮ／ＯＦＦ部４１及び電源ＯＮ／ＯＦＦ部４３０を制御する（Ｓ６０４）。
【００７２】
一方、ＣＰＵ３０１は、現在時刻が強制ディープスリープモード期間に含まれないと判断した場合は画像形成装置２２０を通常スリープモードＳ４１へ移行させるように、電源ＯＮ／ＯＦＦ部４１及び電源ＯＮ／ＯＦＦ部４３０を制御する。
以上のように、メインスイッチ４１０がスイッチオフ状態からスイッチオン状態へ切替えられた場合において、現在時刻が強制ディープスリープモード期間に含まれる場合は、画像形成装置２２０はディープスリープモードで動作する。一方で、現在時刻が強制ディープスリープモード期間に含まれない場合は、画像形成装置２２０は通常スリープモードで動作する。
【００７３】
次に、図７を用いて、画像形成装置２２０が通常電力モードＳ４２又は通常スリープモードＳ４１で動作している際にＣＰＵ３０１が実行する処理について説明する。
【００７４】
ステップＳ７０１で、ＣＰＵ３０１は、プリント処理やコピー処理等の実行指示を受け付けたかどうかを判定し、受け付けたと判定された場合はステップＳ７０２へ処理を進め、受け付けたと判定されない場合はステップＳ７０６へ処理を進める。
【００７５】
例えば、ネットワーク部３１０がＰＣ２１２から送信される印刷ジョブを受信してＣＰＵ３０１に通知した場合、ＣＰＵ３０１はプリント処理の実行指示が受け付けられたと判定する。また、例えば、操作部Ｉ／Ｆ３０７が操作部１４０を介して操作者がコピー指示を入力したことを検知してＣＰＵ３０１に通知した場合、ＣＰＵ３０１はコピー処理の実行指示が受け付けられたと判定する。
【００７６】
ステップＳ７０２で、ＣＰＵ３０１は、画像形成装置２２０の動作モードが通常電力モードＳ４２であるかどうかを判定し、通常電力モードＳ４２であると判定された場合はＳ７０４へ処理を進め、そうでなければＳ７０３へ処理を進める。
【００７７】
ステップＳ７０３で、ＣＰＵ３０１は、画像形成装置２２０の動作モードが通常スリープモードＳ４１であるので、画像形成装置２２０を通常電力モードＳ４２へ移行させるように電源ＯＮ／ＯＦＦ部４１及び電源ＯＮ／ＯＦＦ部４３０を制御する。
【００７８】
ステップＳ７０４で、ＣＰＵ３０１は、ステップＳ７０１で受け付けられた実行指示に対応する処理を実行するようスキャナ部１０及び／又はプリンタ部２０を制御する。例えば、ＣＰＵ３０１は、ｌコピー処理の実行指示が受け付けられた場合は、スキャナ部１０による原稿の読み取り処理と、プリンタ部２０による読み取られた画像データのプリント処理を実行するようスキャナ部１０及びプリンタ部２０を制御する。
【００７９】
ステップＳ７０５で、ＣＰＵ３０１は、タイマー３３０によりカウントされているスリープ移行時間（操作部Ｉ／Ｆ３０７、ネットワーク部３１０、モデム部３５０のいずれにもデータの入力が行われない期間）をリセットする。そして、スリープ移行時間のカウントを再スタートさせるようタイマー３３０を制御する。
【００８０】
ステップＳ７０６で、ＣＰＵ３０１は、タイマー３３０により計時される現在時刻を確認し、メモリ３４０に記憶された強制ディープスリープモード期間（例えば、１２時から１３時）を確認する（Ｓ７０７）。
【００８１】
そして、ステップＳ７０８で、ＣＰＵ３０１は、現在時刻が強制ディープスリープモード期間に含まれるか否かを判断する。そして、含まれると判断した場合は画形成装置２２０をディープスリープモードＳ４３へ移行させるように、電源ＯＮ／ＯＦＦ部４１及び電源ＯＮ／ＯＦＦ部４３０を制御する（Ｓ７０９）。
【００８２】
一方、ＣＰＵ３０１は、ステップＳ７０８で現在時刻が強制ディープスリープモード期間に含まれないと判断した場合は、ステップＳ７１０へ処理を進める。
【００８３】
ステップＳ７１０で、ＣＰＵ３０１は、タイマーにより計時されるスリープ移行時間が図５の表示枠５０に入力された第１のスリープ移行時間を経過したか否かを判定する。そして、ＣＰＵ３０１は、第１のスリープ移行時間が経過したと判定した場合は画像形成装置２２０を通常スリープモードＳ４１へ移行させるように、電源ＯＮ／ＯＦＦ部４１及び電源ＯＮ／ＯＦＦ部４３０を制御する（Ｓ７１１）。なお、ＣＰＵ３０１は、第１のスリープ移行時間が経過していないと判定した場合は図７の処理を終了させて、ステップＳ７０１からの処理を開始する。
【００８４】
ステップＳ７１２で、ＣＰＵ３０１は、タイマーにより計時されるスリープ移行時間が図５の表示枠５１に入力された第２のスリープ移行時間を経過したか否かを判定する。そして、ＣＰＵ３０１は、第２のスリープ移行時間が経過したと判定した場合は画像形成装置２２０をディープスリープモードＳ４３へ移行させるように、電源ＯＮ／ＯＦＦ部４１及び電源ＯＮ／ＯＦＦ部４３０を制御する（Ｓ７１３）。なお、ＣＰＵ３０１は、第２のスリープ移行時間が経過していないと判定した場合は図７の処理を終了させて、ステップＳ７０１からの処理を開始する。
【００８５】
以上のように、画像形成装置２２０が通常電力モードＳ４２又は通常スリープモードＳ４１で動作している際に、現在時刻が強制ディープスリープモード期間に含まれると判定された場合は、画像形成装置２２０はディープスリープモードで動作する。一方で、現在時刻が強制ディープスリープモード期間に含まれない場合、画像形成装置２２０はスリープ移行時間の経過に応じて、通常電力モード、通常スリープモード又はディープスリープモードのいずれかで動作する。
【００８６】
次に、図８を用いて、画像形成装置２２０がディープスリープモードで動作している際にＣＰＵ３０１が実行する処理について説明する。
【００８７】
なお、ステップＳ８０１及びステップＳ８０２の処理は、電源ＯＮ／ＯＦＦ部４１が実行する処理であり、ＣＰＵ３０１が実行する処理ではない。
【００８８】
ステップＳ８０１で、電源ＯＮ／ＯＦＦ部４１は、操作部Ｉ／Ｆ３０７、ネットワーク部３１０又はモデム部３５０からディープスリープモードから通常スリープモードへの復帰要因が入力されたかどうかを判定する。そして、入力されたと判定された場合にステップＳ８０２へ処理を進める。
【００８９】
ステップＳ８０２で、電源ＯＮ／ＯＦＦ部４１は、電源供給ライン４３を介したＣＰＵ３０１等への電力供給を開始することで画像形成装置２２０の動作モードをディープスリープモードＳ４３から通常スリープモードＳ４１へ移行させる。
ＣＰＵ３０１は、タイマー３３０により計時される現在時刻を確認し（Ｓ８０３）、メモリ３４０に記憶された強制ディープスリープモード期間（例えば、１２時から１３時）を確認する（Ｓ８０４）。
【００９０】
そして、ステップＳ８０５で、ＣＰＵ３０１は、現在時刻が強制ディープスリープモード期間に含まれるか否かを判断する。そして、含まれると判断した場合は画形成装置２２０をディープスリープモードＳ４３へ移行させるように、電源ＯＮ／ＯＦＦ部４１及び電源ＯＮ／ＯＦＦ部４３０を制御する（Ｓ８０６）。
【００９１】
一方、ＣＰＵ３０１は、現在時刻が強制ディープスリープモード期間に含まれないと判断した場合は画像形成装置２２０を通常スリープモードＳ４１へ移行させるように、電源ＯＮ／ＯＦＦ部４１及び電源ＯＮ／ＯＦＦ部４３０を制御する。
【００９２】
以上のように、画像形成装置２２０がディープスリープモードで動作している際に復帰要因が入力された場合、現在時刻が強制ディープスリープモード期間に含まれる場合は、復帰要因が入力されたとしてもディープスリープモードで動作する。一方で、現在時刻が強制ディープスリープモード期間に含まれない場合は、復帰要因が入力されたことに応じて画像形成装置２２０は通常スリープモードで動作する。
【００９３】
以上説明したように、本実施形態によれば、画像形成装置２２０が計時する現在時刻が、予め設定された強制ディープスリープモード期間に含まれる場合には、画像形成装置２２０の動作モードがディープスリープモードとなるよう確実に制御することができる。本実施形態は、例えば、ある期間（１２時から１３時）においては、画像形成装置２２０の消費電力を確実に低くさせたいような場合に有効である。本実施形態によれば、強制ディープスリープモード期間においては、画像形成装置２２０のメインスイッチがオフ状態からオン状態に切替えられた場合であっても、ディープスリープモードが解除されない。
【００９４】
なお、上記の説明においては、強制ディープスリープモード期間は、操作部１４０を介して入力されるものとしたが他の態様であっても良い。例えば、ＰＣ２１２から強制ディープスリープモード期間を示す情報をネットワーク部１０により受信し、受信した情報をメモリ３４０へ記憶させるようにしても良い。
【００９５】
また、強制ディープスリープモード期間においては、操作部１４０に“１２時から１３時まではディープスリープモード（解除不可）で動作します。”のようなメッセージを表示させることで、画像形成装置２２０の動作モードを操作者に通知するようにしても良い。
【００９６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【図１】
2011133515.tif 000003
【図２】
2011133515.tif 000004
【図３】
2011133515.tif 000005
【図４】
2011133515.tif 000006
【図５】
2011133515.tif 000007
【図６】
2011133515.tif 000008
【図７】
2011133515.tif 000009
【図８】
2011133515.tif 000010